(57)【要約】【課題】特殊な工具を用いることなく筐体の表面に傷が付くのを抑制することが可能な電子機器を提供する。【解決手段】この電子機器（セットトップボックス１００）は、貫通孔１３ａおよび１４ｂを有する筐体１と、筐体１の内部に設けられ、外周部にねじ部９を有するケーブル入力端子５およびケーブル出力端子６と、貫通孔１３ａおよび１４ｂを介して筐体１の外部に突出させたケーブル入力端子５およびケーブル出力端子６のねじ部９に螺合することによって貫通孔１３ａおよび１４ｂを塞いだ状態でケーブル入力端子５およびケーブル出力端子６と筐体１とを締結する六角ナット１０とを備え、筐体１の表面上の貫通孔１３ａおよび１４ｂの近傍には、筐体１の外側に向かって突出するように形成され、六角ナット１０を締め付ける工具の先端に当接するように構成されている凸部１２が形成されている。【選択図】図１２
2011222447.tif 000002
【特許請求の範囲】
【請求項１】
貫通孔を有する筐体と、
前記筐体の内部に設けられ、外周部にねじ部を有する端子と、
前記貫通孔を介して前記筐体の外部に突出させた前記端子のねじ部に螺合することによって前記貫通孔を塞いだ状態で前記端子と前記筐体とを締結するナットとを備え、
前記筐体の表面上の前記貫通孔の近傍には、前記筐体の外側に向かって突出するように形成され、前記ナットを締め付ける工具の先端に当接するように構成されている凸部が形成されている、電子機器。
【請求項２】
前記筐体の内部に設けられ、外周部にねじ部を有する前記端子を含むチューナをさらに備え、
前記ナットは、前記貫通孔を介して前記筐体の外部に突出させた前記端子のねじ部に螺合することによって前記筐体と前記チューナとを外部から不要な電波が侵入するのを防止するように前記貫通孔を塞いだ状態で締結するように構成されており、
前記筐体の表面上の前記貫通孔の近傍には、前記筐体の外側に向かって突出するように形成され、前記ナットを締め付ける工具の先端に当接するように構成されている凸部が形成されている、請求項１に記載の電子機器。
【請求項３】
前記筐体の表面上の前記貫通孔の近傍に形成される前記凸部は、前記貫通孔を取り囲む円周上に複数設けられ、それぞれ前記円周の半径方向に延びるように形成されている、請求項１または２に記載の電子機器。
【請求項４】
前記筐体の表面上の前記貫通孔の近傍に形成される前記凸部は、前記貫通孔を取り囲む円周上に複数設けられ、それぞれ平面的に見て前記円周の円周方向の幅よりも前記円周の半径方向の幅が大きくなるように形成されている、請求項３に記載の電子機器。
【請求項５】
前記筺体の表面上に前記筐体の外側に向かって突出するように形成され、突出した先端部が前記ナットに当接するように構成されている突出部をさらに備え、
前記突出部の突出高さは、前記凸部の突出高さ以上の大きさに構成されている、請求項１〜４のいずれか１項に記載の電子機器。
【請求項６】
前記筐体の表面上の前記貫通孔の近傍に形成される前記凸部は、前記貫通孔を取り囲むように複数設けられ、それぞれ前記ナットを締め付ける工具の先端と線接触または点接触可能な形状を有するように構成されている、請求項１〜５のいずれか１項に記載の電子機器。
【請求項７】
前記筐体の表面上の前記貫通孔の近傍に形成される前記凸部は、前記貫通孔の周囲を取り囲む円周線上に沿って少なくとも３つ設けられ、前記円周線上に沿って略等間隔に配置されている、請求項１〜６のいずれか１項に記載の電子機器。
【請求項８】
前記筐体の内部に設けられ、外周部にねじ部を有する前記端子を含むチューナをさらに備え、
前記筐体の表面の前記貫通孔の近傍は、前記チューナに当接するように前記筐体の内側に向かって窪むように凹形状に形成されており、
前記筐体の表面の前記貫通孔の近傍の凹形状に形成された領域には、前記凸部が形成されている、請求項１〜７のいずれか１項に記載の電子機器。
【請求項９】
前記筐体の表面上の前記貫通孔の近傍に形成される前記凸部は、前記筐体と一体的に形成されている、請求項１〜８のいずれか１項に記載の電子機器。
【発明の詳細な説明】
【技術分野】
【０００１】
この発明は、電子機器に関し、特に、筐体と、外周部にねじ部を有する端子と、ねじ部に螺合することにより端子と筐体とを締結するナットとを備えた電子機器に関する。
【背景技術】
【０００２】
従来、筐体と、外周部にねじ部を有する端子と、ねじ部に螺合することにより端子と筐体とを締結する六角ナットとを備えた電子機器が知られている。一般に、六角ナットを取り付ける工具の一種として、レンチが知られている。ここで、レンチの先端部は円筒状に形成されており、先端部の外面および内面がなす角度は鋭角になるように形成されているため、電子機器にナットを取り付ける際において、筺体の表面とレンチの先端とが擦れることにより筺体の表面に傷が付くという不都合がある。
【０００３】
そこで、上記のような不都合を解消するために、ナットが取り付けられる部材の表面に傷が付くのを抑制しながらナットを取り付けることが可能な工具が提案されている（たとえば、特許文献１参照）。
【０００４】
上記特許文献１には、ナットが取り付けられる部材の表面に傷が付くのを抑制するために用いられる、台座、駒、回転体などを有する特殊な工具が開示されている。
【先行技術文献】
【特許文献】
【０００５】
【特許文献１】特開平８−２５２４４号公報
【発明の概要】
【発明が解決しようとする課題】
【０００６】
しかしながら、上記特許文献１に記載の工具では、筐体の表面に傷が付くのを抑制するために、ナットを締め付ける際に台座、駒、回転体などを有する特殊な工具を用いなければならないという問題点がある。
【０００７】
この発明は、上記のような課題を解決するためになされたものであり、この発明の１つの目的は、特殊な工具を用いることなく筐体の表面に傷が付くのを抑制することが可能な電子機器を提供することである。
【課題を解決するための手段および発明の効果】
【０００８】
この発明の第１の局面による電子機器は、貫通孔を有する筐体と、筐体の内部に設けられ、外周部にねじ部を有する端子と、貫通孔を介して筐体の外部に突出させた端子のねじ部に螺合することによって貫通孔を塞いだ状態で端子と筐体とを締結するナットとを備え、筐体の表面上の貫通孔の近傍には、筐体の外側に向かって突出するように形成され、ナットを締め付ける工具の先端に当接するように構成されている凸部が形成されている。
【０００９】
この第１の局面による映像信号処理装置では、上記のように、筐体の外側に向かって突出するように形成され、ナットを締め付ける工具の先端に当接するように構成されている凸部を筐体の表面上の貫通孔の近傍に形成することによって、特殊な工具を用いることなく一般の工具を用いた場合でも、ナットを締め付ける際に工具の先端が筐体の平坦な表面に接触するのを凸部により抑制することができる。これにより、工具の先端によって傷が付くのは凸部だけとなるので、筐体の凸部以外の表面に傷が付くのを抑制することができる。
【００１０】
上記第１の局面による電子機器において、好ましくは、筐体の内部に設けられ、外周部にねじ部を有する端子を含むチューナをさらに備え、ナットは、貫通孔を介して筐体の外部に突出させた端子のねじ部に螺合することによって筐体とチューナとを外部から不要な電波が侵入するのを防止するように貫通孔を塞いだ状態で締結するように構成されており、筐体の表面上の貫通孔の近傍には、筐体の外側に向かって突出するように形成され、ナットを締め付ける工具の先端に当接するように構成されている凸部が形成されている。このように構成すれば、ナットによって貫通孔を塞ぐことができるので、貫通孔を介して外部から不要な電波が筐体内部に侵入するのを防止しながら、特殊な工具を用いることなく筐体の凸部以外の表面に傷が付くのを抑制することができる。
【００１１】
上記第１の局面による映像信号処理装置において、好ましくは、筐体の表面上の貫通孔の近傍に形成される凸部は、貫通孔を取り囲む円周上に複数設けられ、それぞれ円周の半径方向に延びるように形成されている。このように構成すれば、たとえば円筒状の先端部を有するレンチを用いる場合、凸部を１つしか設けない場合と異なり、複数の凸部によって工具の先端を支持できるので、工具が傾くことにより筐体の凸部以外の表面に工具の先端が接触するのを抑制することができる。また、凸部を貫通孔を取り囲む円周の半径方向に延びるように形成することによって、工具が貫通孔を取り囲む円周の半径方向に多少ずれた場合でも、ナットを締め付ける工具の先端が筐体の凸部以外の平坦な表面に接触することがないので、ナットを締め付ける工具の先端が筐体の凸部以外の表面に接触するのをより抑制することができる。
【００１２】
この場合、好ましくは、筐体の表面上の貫通孔の近傍に形成される凸部は、貫通孔を取り囲む円周上に複数設けられ、それぞれ平面的に見て円周の円周方向の幅よりも円周の半径方向の幅が大きくなるように形成されている。このように構成すれば、凸部を平面的に見て円周方向の幅よりも半径方向の幅が小さくなるように形成する場合と異なり、ナットを締め付ける工具によって凸部に傷が付く範囲を小さくすることができる。
【００１３】
上記第１の局面による電子機器において、好ましくは、筺体の表面上に筐体の外側に向かって突出するように形成され、突出した先端部がナットに当接するように構成されている突出部をさらに備え、突出部の突出高さは、凸部の突出高さ以上の大きさに構成されている。このように構成すれば、突出部によりナットを凸部より高い位置で固定することができるので、たとえば円筒状の先端部を有するレンチを用いる場合、ナットを回転させ易い円筒の胴部によってナットを回転させることができる。これにより、容易にナットを締め付けることができる。
【００１４】
上記第１の局面による電子機器において、好ましくは、筐体の表面上の貫通孔の近傍に形成される凸部は、貫通孔を取り囲むように複数設けられ、それぞれナットを締め付ける工具の先端と線接触または点接触可能な形状を有するように構成されている。このように構成すれば、凸部が工具の先端と面接触するような形状を有する場合と異なり、工具の先端と凸部とが接触する範囲を小さくすることができるので、ナットを締め付ける際に筐体の表面の凸部に傷が付くのを抑制することができる。
【００１５】
上記第１の局面による電子機器において、好ましくは、筐体の表面上の貫通孔の近傍に形成される凸部は、貫通孔の周囲を取り囲む円周線上に沿って少なくとも３つ設けられ、円周線上に沿って略等間隔に配置されている。このように構成すれば、たとえば円筒状の先端部を有するレンチを用いる場合、凸部を１つまたは２つしか設けない場合と異なり、少なくとも３つの凸部により工具（レンチ）の先端部をバランスよく支持できるので、工具が傾くことにより筐体の凸部以外の表面に工具の先端が接触するのをより抑制することができる。
【００１６】
上記第１の局面による電子機器において、筐体の内部に設けられ、外周部にねじ部を有する端子を含むチューナをさらに備え、筐体の表面の貫通孔の近傍は、チューナに当接するように筐体の内側に向かって窪むように凹形状に形成されており、筐体の表面の貫通孔の近傍の凹形状に形成された領域には、凸部が形成されている。このように構成すれば、筐体とチューナとを密着させることができるので、チューナを筐体を介して接地することができる。これにより、チューナの内部から発振される電波が不要に外部に漏れるのを抑制することができる。
【００１７】
上記第１の局面による電子機器において、好ましくは、筐体の表面上の貫通孔の近傍に形成される凸部は、筐体と一体的に形成されている。このように形成すれば、筐体と一体的に形成した凸部により、部品点数を増加させることなく、ナットを締め付ける工具の先端が筐体の凸部以外の表面に接触するのを抑制することができる。
【図面の簡単な説明】
【００１８】
【図１】本発明の一実施形態によるセットトップボックスの全体構成を示した斜視図である。
【図２】図１に示すセットトップボックスの背面側の図である。
【図３】本発明の一実施形態によるセットトップボックスのケーブル入力端子およびケーブル出力端子の拡大図である。
【図４】本発明の一実施形態によるセットトップボックスのケーブル入力端子およびケーブル出力端子の平面図である。
【図５】図４の２００−２００線に沿った断面図である。
【図６】図４の３００−３００線に沿った断面図である。
【図７】図４の４００−４００線に沿った断面図である。
【図８】図４の５００−５００線に沿った断面図である。
【図９】本発明の一実施形態による凹形状に形成された筐体の平面図である。
【図１０】本発明の一実施形態によるチューナが設けられている基板を示した平面図である。
【図１１】本発明の一実施形態による筐体に基板を取り付ける手順を説明するための図である。
【図１２】本発明の一実施形態によるセットトップボックスの組み立て手順を説明するための図である。
【図１３】本発明の一実施形態による端子にナットを取り付ける手順を説明するための斜視図である。
【図１４】本発明の一実施形態による端子にナットを取り付ける手順を説明するための断面図である。
【発明を実施するための形態】
【００１９】
以下、本発明を具体化した実施形態を図面に基づいて説明する。
【００２０】
まず、図１〜図１１を参照して、本発明の一実施形態によるセットトップボックス１００の構成について説明する。なお、本実施形態では、電子機器の一例であるセットトップボックス１００に本発明を適用した場合について説明する。
【００２１】
図１および図２に示すように、本発明の一実施形態によるセットトップボックス１００は、略直方体形状を有する筐体１を備えている。筐体１は、金属からなる。また、図１に示すように、筐体１の前面（Ｙ１方向側の面）には電源操作のための電源スイッチ２と、チャンネル情報などを表示する表示部３と、チャンネル操作などに用いる２つの操作部４が設けられている。また、図２に示すように、筐体１の背面（Ｙ２方向側の面）のＸ２方向でかつＺ１方向の端部近傍には、ケーブルテレビの同軸ケーブルを接続するためのケーブル入力端子５と、テレビジョン装置などに接続するための同軸ケーブルが挿入されるケーブル出力端子６とが設けられている。なお、ケーブル入力端子５およびケーブル出力端子６は、本発明の「端子」の一例である。また、筐体１の内部には、基板７が設けられている。基板７には、チューナ８が設けられており、ケーブル入力端子５は、チューナ８に設けられている。また、ケーブル出力端子６は、基板７に設けられている。
【００２２】
また、図３に示すように、ケーブル入力端子５およびケーブル出力端子６は、それぞれ筐体１の背面に設けられる後述する貫通孔１３ａおよび貫通孔１４ａ（図９参照）を介して筐体１の内部から外部に向かって（Ｙ２方向側に）突出するように構成されている。また、ケーブル入力端子５およびケーブル出力端子６は、それぞれ外周部にねじ山からなるねじ部９が設けられている。ねじ部９は、六角ナット１０が螺合するように構成されている。なお、六角ナット１０は、本発明の「ナット」の一例である。
【００２３】
ここで、本実施形態では、筐体１の背面のＸ２方向でかつＺ１方向の端部近傍には、筐体１の内側（Ｙ１方向側）に向かって窪むように形成されている入出力端子部１１が設けられている。入出力端子部１１のケーブル出力端子６が突出している部分（以下、出力端子部１１ｂとする）は、入出力端子部１１の他の部分（以下、入力端子部１１ａとする）に比べてより内側に窪むように形成されている。具体的には、図５に示すように、入力端子部１１ａの窪みの深さＤ１は、出力端子部１１ｂの窪みの深さＤ２より小さくなるように構成されている。また、図５〜図７に示すように、入力端子部１１ａは、チューナ８に当接するとともに、出力端子部１１ｂは、ケーブル出力端子６の根元に当接するように構成されている。
【００２４】
また、本実施形態では、図４に示すように、入力端子部１１ａには、ケーブル入力端子５の周囲を取り囲むように凸部１２が４つ形成されている。同様に、出力端子部１１ｂにも、ケーブル出力端子６の周囲を取り囲むように凸部１２が４つ形成されている。具体的には、４つずつ形成された凸部１２は、それぞれケーブル入力端子５およびケーブル出力端子６を取り囲む円周線上に沿って略９０°の等角度間隔で配置されている。また、４つの凸部１２は、ケーブル入力端子５（ケーブル出力端子６）を取り囲む円周の半径方向に延びるように形成されている。具体的には、凸部１２は、平面的に見てケーブル入力端子５（ケーブル出力端子６）を取り囲む円周の円周方向の幅Ｗ１よりも半径方向の幅Ｗ２の方が大きくなるように形成されている。なお、凸部１２は、平面的に見て略楕円形状を有している。
【００２５】
また、図５〜図８に示すように、凸部１２は、筐体１の背面から外側に向かって突出するように形成されている。また、凸部１２は、ハーフパンチ加工により筐体１と一体的に形成されている。また、凸部１２は、六角ナット１０をケーブル入力端子５およびケーブル出力端子６に取り付ける際に、後述するソケットレンチ１５（図１４参照）のソケット部１５ａの先端に当接するように構成されている。ここで、本実施形態では、凸部１２は、ソケットレンチ１５のソケット部１５ａの先端（Ｙ１方向側の表面）と点接触するように形成されている。具体的には、凸部１２は、平面的に見てケーブル入力端子５（ケーブル出力端子６）を取り囲む円周の円周方向の断面が略半円形状（図８参照）を有するとともに、半径方向の断面が略円弧形状（図６参照）を有するように形成されている。図１４に示すように、凸部１２は、その頂点部１２ａにおいてソケットレンチ１５のソケット部１５ａの先端と点接触するように形成されている。
【００２６】
また、図５および図６に示すように、筐体１の背面の入力端子部１１ａには、突出部１３が設けられている。突出部１３は、貫通孔１３ａを構成するとともに筐体１の外側に向かって突出するように形成されている。突出部１３の突出高さＨ１は、凸部１２の突出高さＨ２よりも大きくなるように構成されている。同様に、図５および図７に示すように、筐体１の背面の出力端子部１１ｂには、突出部１４が設けられている。突出部１４は、貫通孔１４ａを構成するとともに筐体１の外側に向かって突出するように形成されている。突出部１４の突出高さＨ３は、凸部１２の突出高さＨ２よりも大きくなるように構成されている。また、突出部１３および突出部１４は、バーリング加工により筐体１と一体的に形成されている。また、突出部１３および突出部１４は、突出した先端部（Ｙ２方向側の表面）が六角ナット１０に当接するように構成されている。
【００２７】
六角ナット１０は、筐体１とチューナ８および筐体１とケーブル出力端子６とを締結するように構成されている。本実施形態では、六角ナット１０は、貫通孔１３ａの内側面とケーブル入力端子５の外側面との間の隙間をＹ１方向側から塞ぐように構成されている。同様に、六角ナット１０は、貫通孔１４ａの内側面とケーブル出力端子６の外側面との間の隙間をＹ１方向側から塞ぐように構成されている。
【００２８】
図９に示すように、筐体１の背面には、貫通孔１３ａおよび貫通孔１４ａが設けられている。貫通孔１３ａおよび貫通孔１４ａは、平面的に見て略円形状を有している。また、貫通孔１３ａおよび貫通孔１４ａは、平面的に見て、入出力端子部１１の中心を通る中心線Ａに対して略対称に設けられている。また、図１０に示すように、基板７は、平面的に見て略長方形形状を有している。チューナ８およびケーブル出力端子６は、基板７の短手側（Ｙ２方向側）の一辺に設けられている。チューナ８は、平面的に見て基板７からＹ２方向側にはみ出すように構成されている。また、図１１に示すように、チューナ８は、チューナ８に設けられているケーブル入力端子５を筐体１の内側から貫通孔１３ａに挿入できるように基板７上に配置されている。また、ケーブル出力端子６は、筐体１の内側から貫通孔１４ａに挿入できるように基板７上に配置されている。
【００２９】
次に、図１１〜図１４を参照して、本実施形態のセットトップボックス１００の組み立て手順について説明する。
【００３０】
まず、図１１に示すように、ケーブル入力端子５およびケーブル出力端子６を、それぞれ貫通孔１３ａおよび貫通孔１４ａを介して筐体１の外側に突出させるように基板７を筐体１の内部に配置する。そして、図１２に示すように、ケーブル入力端子５の突出している先端部のねじ部９にナットをあらかじめ人手によって螺合させておく。そして、図１３に示すように、ソケットレンチ１５のソケット部１５ａの内部に設けられている穴に六角ナット１０を嵌め込み、ソケットレンチ１５のグリップ部１５ｃを把持し、軸１５ｂを回転軸としてソケット部１５ａを回転させる。ソケット部１５ａが回転すると、ソケット部１５ａの内部に嵌め込まれている六角ナット１０も回転するので、ケーブル入力端子５に螺合されている六角ナット１０を締め付けることができる。六角ナット１０は、図１４に示すように、六角ナット１０が突出部１３の突出した先端部に当接するまで回転する。同様にして、ケーブル出力端子６に螺合されている六角ナット１０も締め付ける。ここで、本実施形態では、六角ナット１０を締め付ける際において、ソケット部１５ｃの先端は凸部１２の頂点部１２にのみ擦れるので、筐体１の平坦な表面に傷が付くのを抑制することが可能となる。このようにして本実施形態のセットトップボックス１００の組み立てが行われる。
【００３１】
本実施形態では、上記のように、凸部１２を筐体１の表面上の貫通孔１３ａおよび貫通孔１４ａの近傍に形成することによって、ソケットレンチ１５を用いて六角ナット１０を締め付ける際に、ソケットレンチ１５の先端が筐体１の平坦な表面に接触するのを凸部１２により抑制することができる。これにより、ソケットレンチ１５の先端によって傷が付くのは凸部１２だけとなるので、筐体１の凸部１２以外の表面に傷が付くのを抑制することができる。
【００３２】
また、本実施形態では、上記のように、六角ナット１０を、ケーブル入力端子５のねじ部９に螺合することによって筐体１とチューナ８とを外部から不要な電波が侵入するのを防止するように貫通孔１３ａを塞いだ状態で締結するように構成し、筐体１の表面上の貫通孔１３ａの近傍に凸部１２を形成している。これにより、六角ナット１０によって貫通孔１３ａを塞ぐことができるので、貫通孔１３ａを介して外部から不要な電波が筐体１の内部に侵入するのを防止しながら、特殊な工具を用いることなく筐体１の凸部１２以外の表面に傷が付くのを抑制することができる。
【００３３】
また、本実施形態では、上記のように、凸部１２を、貫通孔１３ａおよび貫通孔１４ａを取り囲む円周上に複数設け、それぞれ円周の半径方向に延びるように形成している。これにより、凸部１２を１つしか設けない場合と異なり、複数の凸部１２によりソケットレンチ１５の円筒状に構成された先端を支持できるので、ソケットレンチ１５が傾くことにより筐体１の凸部１２以外の表面にソケットレンチ１５の先端が接触するのを抑制することができる。また、凸部１２を貫通孔１３ａおよび貫通孔１４ａを取り囲む円周の半径方向に延びるように形成することによって、ソケットレンチ１５が貫通孔１３ａおよび貫通孔１４ａを取り囲む円周の半径方向に多少ずれた場合でも、ソケットレンチ１５の先端が筐体１の凸部１２以外の平坦な表面に接触することがないので、ソケットレンチ１５の先端が筐体１の凸部１２以外の表面に接触するのをより抑制することができる。
【００３４】
また、本実施形態では、上記のように、凸部１２を、貫通孔１３ａおよび貫通孔１４ａを取り囲む円周上に複数設け、それぞれ平面的に見て円周の円周方向の幅Ｗ１よりも円周の半径方向の幅Ｗ２が大きくなるように形成している。これにより、凸部１２を平面的に見て円周方向の幅よりも半径方向の幅が小さくなるように形成する場合と異なり、六角ナット１０を締め付けるソケットレンチ１５によって凸部１２に傷が付く範囲をより小さくすることができる。
【００３５】
また、本実施形態では、上記のように、筺体１の表面上に筐体１の外側に向かって突出するように形成し、突出した先端部が六角ナット１０に当接するように構成している突出部１３および突出部１４をさらに備え、突出部１３および突出部１４の突出高さＨ１およびＨ３を、凸部１２の突出高さＨ２以上の大きさに構成している。これにより、突出部１３および突出部１４により六角ナット１０を凸部１２より高い位置で固定することができるので、円筒状に構成されているソケット部１５ａの胴部によって六角ナット１０を回転させることができる。これにより、容易に六角ナット１０を締め付けることができる。
【００３６】
また、本実施形態では、上記のように、凸部１２を、貫通孔１３ａおよび貫通孔１４ａを取り囲むように複数設け、それぞれ六角ナット１０を締め付けるソケットレンチ１５の先端と点接触可能な形状を有するように構成している。これにより、凸部１２がソケットレンチ１５の先端と面接触するような形状を有する場合と異なり、ソケットレンチ１５の先端と凸部１２とが接触する範囲を小さくすることができるので、六角ナット１０を締め付ける際に筐体１の凸部１２に傷が付くのをより抑制することができる。
【００３７】
また、本実施形態では、上記のように、凸部１２を、貫通孔１３ａおよび貫通孔１４ａの周囲を取り囲む円周線上に沿って４つ設け、円周線上に沿って略９０度の間隔で配置している。これにより、凸部１２を１つまたは２つしか設けない場合と異なり、４つの凸部１２によりソケットレンチ１５の円筒状に構成された先端をバランスよく支持できるので、ソケットレンチ１５が傾くことにより筐体１の凸部１２以外の表面にソケットレンチ１５の先端が接触するのをより抑制することができる。
【００３８】
また、本実施形態では、上記のように、筐体１内部にチューナ８を設け、筐体１の表面の貫通孔１３ａの近傍を、チューナ８に当接するように筐体１の内側に向かって窪むように凹形状に形成し、筐体１の表面の貫通孔１３ａの近傍の凹形状に形成された領域には、凸部１２を形成している。これにより、筐体１とチューナ８とを密着させることができるので、チューナ８を筐体１を介して接地することができる。その結果、チューナの内部から発振される電波が不要に外部に漏れるのを抑制することができる。
【００３９】
また、本実施形態では、上記のように、凸部１２を筐体１と一体的に形成している。これにより、筐体１と一体的に形成した凸部１２により、部品点数を増加させることなく、ソケットレンチ１５の先端が筐体１の凸部１２以外の表面に接触するのを抑制することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、本発明の電子機器の一例としてのセットトップボックスに本発明を適用した例について示したが、本発明はこれに限らない。本発明では、たとえばナットで締結される端子を有するＤＶＤ機器でもよい。
【００４２】
また、上記実施形態では、端子および貫通孔を２つ設ける例を示したが、本発明はこれに限らない。本発明では、端子および貫通穴を１つ設けてもよいし、３つ以上設けてもよい。
【００４３】
また、上記実施形態では、ナットの一例として六角ナットを用いる例を示したが、本発明はこれに限らない。本発明では、端子のねじ部に螺合し、貫通孔を塞ぐように構成されているナットであれば、たとえば四角ナットでもよい。
【００４４】
また、上記実施形態では、１つの貫通孔の周囲に４つの凸部を設ける例を示したが、本発明はこれに限らない。本発明では、３つの凸部を設けてもよいし、５つ以上の凸部を設けてもよい。
【００４５】
また、上記実施形態では、凸部を平面的に見て略楕円形状に形成する例を示したが、本発明はこれに限らない。本発明では、凸部を、たとえば平面的に見て略矩形形状に形成してもよい。
【００４６】
また、上記実施形態では、突出部の突出高さを凸部の突出高さより大きくする例を示したが、本発明はこれに限らない。本発明では、突出部の突出高さと凸部の突出高さとが略同じ大きさでもよい。
【００４７】
また、上記実施形態では、凸部がナットを締め付ける工具の先端と点接触する形状を有する例を示したが、本発明はこれに限らない。本発明では、凸部がナットを締め付ける工具の先端と線接触する形状を有していてもよい。たとえば、凸部が貫通孔を取り囲む円周の円周方向に半円形状の断面を有するとともに、半径方向に矩形形状の断面を有する半円筒形状を有していてもよい。
【００４８】
また、上記実施形態では、ソケットレンチを用いてナットを締め付ける場合に本発明を適用したが、本発明は、ソケットレンチ以外にも先端でナットを締め付ける工具を用いる場合に広く適用可能である。
【符号の説明】
【００４９】
１  筐体
５  ケーブル入力端子（端子）
６  ケーブル出力端子（端子）
８  チューナ
９  ねじ部
１０  六角ナット（ナット）
１２  凸部
１３、１４  突出部
１３ａ、１４ａ  貫通孔
１００  セットトップボックス（電子機器）
【図１】
2011222447.tif 000003
【図２】
2011222447.tif 000004
【図３】
2011222447.tif 000005
【図４】
2011222447.tif 000006
【図５】
2011222447.tif 000007
【図６】
2011222447.tif 000008
【図７】
2011222447.tif 000009
【図８】
2011222447.tif 000010
【図９】
2011222447.tif 000011
【図１０】
2011222447.tif 000012
【図１１】
2011222447.tif 000013
【図１２】
2011222447.tif 000014
【図１３】
2011222447.tif 000015
【図１４】
2011222447.tif 000016